(57)【要約】      （修正有）【課題】  逆接続時においても空気調和機とし通常通り動作を行い、回路部品の破損などを防ぐ回路構成を有する空気調和機を提供する。【解決手段】  室外側電気品からの極性を有する信号伝送線を室内側電気品に接続する場合、室内側電気品のインターフェイス回路に整流器を設けることにより、伝送されてきた信号の極性に関係なく、空気調和機を通常通り動作させることを可能とする。【選択図】  図１
2007113857.tif 000002
【特許請求の範囲】
【請求項１】
商用電源からの電力を電源線を介し供給するユニットと、対になるユニットで構成され
おのおののユニット間を、直流電圧に制御信号を重畳させた伝送信号を信号伝送線により接続されている空気調和機において、直流電圧を入力するユニット側に、信号伝送線の極性を逆に接続した場合においても極性が正常に接続された回路を構成する手段を設けることを特徴とする空気調和機。
【発明の詳細な説明】
【技術分野】
【０００１】
本発明は、ノイズフィイルタ回路、信号伝送回路、制御回路などを有する複数の回路を接続線で接続して成る制御システムに係り、特に据え付け時に極性を有する信号伝送線間の逆接続による回路破損を防止する保護回路に関するものである。
【背景技術】
【０００２】
本発明の対象となる従来の方式を、図３の回転数制御セパレート形空気調和機の室外受電系統図を用いて以下に説明する。端子Ｌ、Ｎ、Ｃ、Ｄの右側は室外側電気品で、端子Ｃ´、Ｄ´の左側は室内側電気品であり、両電気品を２芯ケーブル（Ｃ´−Ｃ，Ｄ´−Ｄ）で接続している。室外側端子Ｌ、Ｎに商用電源からの電源線を接続し、インバータ装置などに電力を供給している。なお室外側端子Ｌ、Ｎに電力が供給されることにより、室外側電気品の電源回路が立ち上がり、インターフェイス開閉器を閉状態にする。インターフェイス開閉器が閉状態となることにより、室内外を接続している信号伝送線(Ｃ´−Ｃ，Ｄ´−Ｄケーブル)を介し、室外側電気品の電源回路から直流電源が室内側電気品に供給され、かつ室内外のインターフェイス回路により、動作モード、回転数などの制御信号を前記直流電源に重畳させ伝送されている。前記信号伝送線には、Ｃ´−Ｃ（+側）、Ｄ´−Ｄ（−側）となる極性を有している。従って、室内側電気品のインターフェイス回路におけるＣ´−Ｃ（+側）、Ｄ´−Ｄ（−側）線間に、逆接続による回路破損の防止としてダイオードを設け回路の保護を行っている。例えば、室内側端子において、従来信号伝送線が接続されるべき端子Ｃ´側に室外側端子Ｄの線を、またに端子Ｄ´側に室外側端子Ｃの線を接続すると、室外側電気品からの直流電源がダイオードを介して短絡し、室外側電気品のインターフェイス回路を介し直流電源に短絡電流が流れる。その際、室外側電気品の直流電源の保護機能（フの字特性）により出力が低下し、インターフェイス開閉器が開状態となる。インターフェイス開閉器が開状態となると直流電源の出力が正常に戻るため、再びインターフェイス開閉器が閉状態となる。この動作が繰り返され空気調和機は運転停止状態を継続している。
【０００３】
従来は、極性のある信号伝送線の逆接続時の破壊防止として、上記保護機能を有する空気調和機を提供していた。
【０００４】
【特許文献１】特開平７−０６９０７２号公報
【発明の開示】
【発明が解決しようとする課題】
【０００５】
本発明は、従来の方式において、極性のある信号伝送線の逆接続防止として、室内側電気品のインターフェイス回路にダイオードを設け回路破損の保護を行っているが、逆接続の状態を長時間放置しておくと、インターフェイス開閉器の開閉周期が短くなり、インターフェイス開閉器の接点溶着、またはインターフェイス回路上のコイルやトランスなどの温度が上昇し断線など部品破損に至る場合がある。
【０００６】
本発明は、逆接続時においても空気調和機とし通常通り動作を行い、回路部品の破損などを防ぐ回路構成を提供する。
【課題を解決するための手段】
【０００７】
本発明は上記目的を達成するために、室外側電気品からの極性を有する信号伝送線を室内側電気品に接続する場合、室内側電気品のインターフェイス回路に整流器を設けることにより、伝送されてきた信号の極性に関係なく、空気調和機を通常通り動作させることを可能とする。
【発明の効果】
【０００８】
本発明は、室外側電気品からの極性のある信号伝送線を、室内側電気品にて本来接続すべき端子と逆に接続した場合、運転に支障無く通常通り動作を行い、また回路部品など
破損なくすことが可能な信頼性に優れた空気調和機を提供することができる。
【発明を実施するための最良の形態】
【０００９】
本発明の実施例について、図面を参照しながら説明する。
【００１０】
図１（ａ）の信号伝送線の正常接続時の配線系統図に本発明のシステム構成を示す。セパレート式の室外受電方式の空気調和機において、商用電源１からの電源線６を室外側電気品のＬ、Ｎ端子に接続し、室外側電気品に電力が供給され、室外側電気品のインバータ装置２などを駆動させる。また、信号伝送線８により室外側電気品の電源回路から直流電源が室内側電気品に供給され、かつ室内外のインターフェイス回路３、４により、動作モード、回転数などの制御信号を前記直流電源に重畳させ伝送されている。
【００１１】
ここで、本発明における極性を有する信号伝送線の逆接続防止手段について述べる。室外側電気品からの信号伝送線８が接続される、室内側電気品のＣ´、Ｄ´端子の信号伝送回路、すなわちインターフェイス回路４の入力側に整流ダイオード１０を設ける回路構成とした。図１（ｂ）の信号伝送線の正常接続時の整流ダイオード１０の通電経路図に示すように、極性を有した伝送信号が、通常通りＣ´、Ｄ´端子に接続されれば伝送信号は、矢印に示す如くダイオード１０ａ、インターフェイス回路、ダイオード１０ｂの経路で通電され、Ｃ´、Ｄ´端子に接続された伝送信号と同極性の信号がインターフェイス回路４に入力される。
【００１２】
一方、図２（ａ）の極性のある信号伝送線の逆接続時の配線系統図に示すように、従来信号伝送線が接続されるべき、端子Ｃ´側に室外側端子Ｄの線を、またに端子Ｄ´側に室外側端子Ｃの線を接続すると、図２（ｂ）の極性のある信号伝送線の逆接続時の整流ダイオード１０の通電経路に示すように、逆接続された伝送信号は、矢印に示す如くダイオード１０ｃ、インターフェイス回路、ダイオード１０ｄの経路で通電され、Ｃ´、Ｄ´端子に接続された伝送信号と逆極性の信号、すなわち通常通りと同様の伝送信号をインターフェイス回路１０に入力することが可能となる。
【００１３】
本実施例は室外受電方式のシステムにて説明したが内充電方式のシステムにおいても同様に活用することが出来る。
【００１４】
本発明により、極性を有する信号伝送線を逆に接続した場合においても、回路部品の破損などがなく、空気調和機として通常通りの動作を行うことが可能となった。
【図面の簡単な説明】
【００１５】
【図１】（ａ）は信号伝送線の正常接続時の配線系統図、（ｂ）は信号伝送線の正常接続時の整流ダイオードの電流経路。
【図２】（ａ）は極性のある信号伝送線の逆接続時の配線系統図、（ｂ）は極性のある信号伝送線の逆接続時の整流ダイオードの電流経路。
【図３】回転数制御セパレート形空気調和機の室外受電系統図。
【符号の説明】
【００１６】
１…商用電源、２…室外基板、３…室外インターフェス基板、４…室内インターフェス基板、６…商用電源からの電源線、８…室内−室外間の信号伝送線、１０…整流ダイオード、１０ａ…整流ダイオード内のダイオード、１０ｂ…整流ダイオード内のダイオード、１０ｃ…整流ダイオード内のダイオード、１０ｄ…整流ダイオード内のダイオード。
【図１】
2007113857.tif 000003
【図２】
2007113857.tif 000004
【図３】
2007113857.tif 000005